(57)【要約】【課題】洗面化粧台の洗面器の排水口を遠隔的に開閉操作する排水装置において、操作部の配置を改善する。【解決手段】洗面化粧台１の洗面器４の排水口４ａの開閉を操作する排水装置１０は、昇降可能な栓体、栓体の昇降を駆動する昇降機構部１１、操作力を入力する操作部１３、操作力伝達手段１２から構成される。操作部１３をミラーキャビネット２のスイッチボックス８に配置し、洗面器４のバックガード５裏面側スペースを利用して操作力伝達手段１２を配設する。スイッチボックス８を利用することにより、付属機器の操作部が一箇所に集中し操作性が向上する。操作部１３の操作時に水が落ちても何ら不都合を生じさせない。洗面器４の上面の突出部が少なくなり簡素になるので、清掃が容易になり、洗面化粧台１の美観性・衛生性が向上する。また操作部１３に水がかかりにくくなる。【選択図】  図１
2005299268.tif 000002
【特許請求の範囲】
【請求項１】
洗面器の排水口に設けた栓体と、該栓体を昇降させる昇降機構部と、該栓体の昇降操作力を入力する操作部と、該操作部から入力した操作力を昇降機構部へ伝達する操作力伝達手段とから成り、操作部により栓体を遠隔的に開閉操作するようになされた排水装置であって、前記洗面器の上部に設置されるミラーキャビネットに、前記操作部を配置したことを特徴とする洗面化粧台の排水装置。
【請求項２】
前記ミラーキャビネットに、照明装置等の付属機器を操作するスイッチ類を集約したスイッチボックスが設けられ、前記栓体を操作する操作部を、上記スイッチボックスに配置した請求項１に記載する洗面化粧台の排水装置。
【請求項３】
キャビネット上に載設した洗面器の排水口に設けた栓体と、該栓体を昇降させる昇降機構部と、該栓体の昇降操作力を入力する操作部と、該操作部から入力した操作力を昇降機構部へ伝達する操作力伝達手段とから成り、操作部により栓体を遠隔的に開閉操作するようになされた排水装置であって、前記操作部を、洗面器が載設されるキャビネットの前面部に配置したことを特徴とする洗面化粧台の排水装置。
【請求項４】
前記操作部を、前記キャビネットにおける洗面器近傍の幕板部分に配置した請求項３に記載する洗面化粧台の排水装置。
【請求項５】
前記操作部を、前記キャビネットにおける台座部分に配置した請求項３に記載する洗面化粧台の排水装置。
【発明の詳細な説明】
【技術分野】
【０００１】
本発明は、洗面化粧台における洗面器の排水口の開閉を遠隔的に操作できる排水装置に関する。
【背景技術】
【０００２】
洗面化粧台における洗面器の排水口に栓体を昇降可能に設け、別途設けた操作部でこの栓体を昇降させることにより、排水口の開閉を遠隔的に操作できるようになされた排水装置が、例えば特許文献１に記載されている。すなわち、この特許文献１に記載される排水装置は、洗面器の排水口に配置した栓体を昇降させる昇降機構部を設け、操作部から入力した操作力を、レリースワイヤ等の伝達手段を通じて昇降機構部へ伝達することにより、栓体を昇降させ、排水口の開閉操作を行うものである。
【特許文献１】特開２００４−６８３２６公報
【発明の開示】
【発明が解決しようとする課題】
【０００３】
従来、洗面化粧台に、遠隔操作が可能な排水装置を装備する場合、操作部は、洗面器の上面、又は、洗面器が取り付けられるカウンターの上面に設置されるのが普通である。このため操作部が、洗面器又はカウンター上面の突出部となるから、見栄えが悪くなるのみならず、洗面器又はカウンター上面を清掃する際の障害となっている。また、洗面器又はカウンターの上面には水が頻繁にかかるため、操作部の周囲に汚れが付着し易いだけでなく、操作部の設置箇所からキャビネット内へ漏水が発生するおそれがあるから、防水性の非常に高い構造を採用する必要があった。
【課題を解決するための手段】
【０００４】
本発明が前記従来の問題点に鑑みて採用した洗面化粧台の排水装置の特徴とするところは、洗面器の排水口に設けた栓体と、該栓体を昇降させる昇降機構部と、該栓体の昇降操作力を入力する操作部と、該操作部から入力した操作力を昇降機構部へ伝達する操作力伝達手段とから成るものであって、前記洗面器の上部に設置されるミラーキャビネットに、前記操作部を配置したことである。
【０００５】
この場合、前記ミラーキャビネットに、照明装置等の付属機器を操作するスイッチ類を集約したスイッチボックスを設け、前記栓体を操作する操作部を、上記スイッチボックスに配置する構成を採用することが可能である。
【０００６】
また本発明は、キャビネット上に載設した洗面器の排水口に設けた栓体と、該栓体を昇降させる昇降機構部と、該栓体の昇降操作力を入力する操作部と、該操作部から入力した操作力を昇降機構部へ伝達する操作力伝達手段とから成る排水装置において、前記操作部を、洗面器が載設されるキャビネットの前面部に配置する構成を採用することができる。
【０００７】
かかる構成を採用した場合、前記操作部を、前記キャビネットにおける洗面器近傍の幕板部分に配置するとよい。あるいは、前記操作部を、前記キャビネットにおける台座部分に配置してもよい。
【発明の効果】
【０００８】
本発明に係る排水装置によれば、操作部を、洗面器の上部に設置されるミラーキャビネット、又は、洗面器が載設されるキャビネットの前面部に配置したので、洗面器又はカウンターの上面における突出部が少なくなる。依って、洗面器やカウンターの上面の清掃が容易になり、見栄えも向上する。また操作部の設置箇所が、水のかかりにくい位置となるから、汚れが付着しにくくなると共に、防水性能に対する要求も緩やかにできるから、コストダウンを図れる。
【発明を実施するための最良の形態】
【０００９】
（第１の実施形態）
図１に、本発明に係る排水装置１０を設置した洗面化粧台１を示す。この洗面化粧台１は、洗面器４が載設されるベースキャビネット３と、該洗面器４の上方に位置するミラーキャビネット２とから成り、洗面器４の奥側に起立形成したバックガード５に、水栓吐出部６と水栓操作ハンドル７とを取り付ける構成を採用している。
【００１０】
洗面器４の排水口４ａの開閉を操作する排水装置１０は、洗面器４の排水口４ａに昇降可能に設けた栓体（図示省略）と、排水口４ａに連設され栓体の昇降を駆動する昇降機構部１１と、栓体を昇降させるための操作力を入力する操作部１３と、操作部１３に入力した操作力を昇降機構部１１へ伝達する操作力伝達手段１２とから構成される。操作力伝達手段１２には、例えばインナーケーブルとアウターケースとから成るプッシュ・プルケーブルを用いることが考えられる。昇降機構部１１は、操作力伝達手段１２を通じて与えられた操作力を、栓体の昇降動作に変換するものである。これには例えば、ラチェット機構を用いて、操作力を一方向に入力することで、弁体を交互に昇降させることができるようなされたものが考えられる。この場合、操作部１３の押し込み動作だけで、栓体を昇降させ、洗面器４の排水口４ａの開閉を制御することができる。あるいは、操作部１３における操作レバー等の押し・引き動作に追従して、栓体を昇降させるように構成することも考えられる。
【００１１】
排水装置１０の操作部１３は、洗面器４の上方部すなわちミラーキャビネット２の適所に配置することが望ましい。これにより、洗面器４の上面の突出部が少なくなり簡素になる。依って、清掃が容易になり、洗面化粧台１の美観性・衛生性が向上する。また操作部１３に水がかかりにくくなる。
【００１２】
ところで、ミラーキャビネット２がスイッチボックス８を備えている場合、図２に示す如く、上記排水装置１０の操作部１３を、上記スイッチボックス８に配置するとよい。スイッチボックス８は、洗面化粧台１に付属する照明装置・鏡のくもり止めヒータ等の操作スイッチ１４，１５や、電源コンセント１６，時計１７等の各種電気器具・部品を集約して配設したものである。上記スイッチボックス８に、操作部１３を配置することにより、洗面化粧台１の付属機器の操作部が一箇所に集中するから、操作性が向上する。またスイッチボックス８を利用することにより、操作部１３の設置部位を新たに形成する手間を省けるから、施工性が向上し、製造コストの節約を図れる。さらにスイッチボックス８は、洗面器４又はカウンターの上方に位置するから、操作部１３を操作した時に手から水が滴り落ちたとしても、洗面器４又はカウンター上に落ちるだけであり、何ら不都合を生じさせない。
【００１３】
なお本例の如く、洗面器４にバックガード５が設けられ、このバックガード５の裏面側に、水栓吐出部６に接続する給水管や水栓操作部７に接続する操作機構具の設置用スペースを有している場合は、このスペースを利用して、前記操作部１３に接続する操作力伝達手段１２を配設することが可能である。具体的には、図３に示すように、バックガード５の上端部及びスイッチボックス８の底部それぞれに切欠又は開口５ａ，８ａを形成し、この切欠又は開口５ａ，８ａにプッシュプルケーブル等から成る操作力伝達手段１２を挿し通してバックガード５裏面側の空間を通過させることで、洗面器４の下方に位置する昇降機構部１１と洗面器の上方に配置した操作部１３とを容易に連絡することができる。
【００１４】
（第２の実施形態）
排水装置１０の操作部１３の配置は、図４に示す如く、洗面器４が載設されるベースキャビネット３における前面部、詳しくは、洗面器４に近接する幕板部３ａとすることも考えられる。本例では、図５に例示する如く、洗面器４の前端下縁と、ベースキャビネット３の扉３ｃとの間に、横桟３ｂに支えられた幕板部３ａを取り付け、この幕板部３ａに操作部１３を配置する構成を採用した。
【００１５】
操作部１３のかかる配置は、洗面化粧台１の前に位置する使用者がきわめて容易に手を届かせることのできる位置であるから、操作性が良好である。特に、身長が低い子供や車椅子の使用者であっても、排水装置１０の操作が容易に行えるという利点を有している。
【００１６】
（その他の実施形態）
本発明の実施にあたり、操作部１３を、ベースキャビネット３の前面部における、床に近い台座部分３ｄ（図４参照）に配置することも考えられる。この場合、使用者は足で操作部１３の操作を行うようにすればよい。その他、本発明の具体的な形態は、実施の状況に応じ、適宜の変更が可能である。
【図面の簡単な説明】
【００１７】
【図１】本発明の第１実施形態に係るものであって、図（Ａ）は排水装置を設置した洗面化粧台の正面図、図（Ｂ）は同洗面化粧台の側面図である。
【図２】本発明の第１実施形態に係るものであって、図（Ａ）は洗面器のバックガード部分とスイッチボックスとを示す要部の側面図、図（Ｂ）はスイッチボックスの正面図である。
【図３】本発明の第１実施形態に係るものであって、洗面器のバックガード部分とスイッチボックスとを示す要部の斜視図である。
【図４】本発明の第２実施形態に係るものであって、図（Ａ）は排水装置を設置した洗面化粧台の正面図、図（Ｂ）は同洗面化粧台の側面図である。
【図５】本発明の第２実施形態に係るものであって、操作部を取り付けた洗面化粧台の幕板部分を示す要部の側面図である。
【符号の説明】
【００１８】
１…洗面化粧台  ２…ミラーキャビネット  ３…ベースキャビネット  ４…洗面器  ４ａ…排水口  ５…バックガード  ８…スイッチボックス  １０…排水装置  １１…昇降機構部  １２…操作力伝達手段  １３…操作部
【図１】
2005299268.tif 000003
【図２】
2005299268.tif 000004
【図３】
2005299268.tif 000005
【図４】
2005299268.tif 000006
【図５】
2005299268.tif 000007